(57)【要約】【課題】ボウルを備えた便器本体を金属製の支持フレームで支持する便器において、支持フレームのうち床に載置される部位が錆びにくい便器を提案すること。【解決手段】本発明の便器１００は、ボウル１及びスカート２を有する便器本体１０と、便器本体１０を支持する金属製の支持フレーム５と、を備える。支持フレーム５は、床４に載置される下フレーム材５０を有する。下フレーム材５０は、スカート２が載せられる横片部５２と、この横片部５２から下方に向けて突出した縦片部５３とを有し、横片部５２の下方に空間Ｓが形成されるものである。空間Ｓは、下フレーム材５０の外部に対して開いた空間である。そして、横片部５２及び縦片部５３は、空間Ｓに臨む面を有し、少なくとも前記面を含む表面が塗装されている。【選択図】図１
2014177770.tif 000002
【特許請求の範囲】
【請求項１】
ボウル及びスカートを有する便器本体と、
前記便器本体を支持する金属製の支持フレームと、を備え、
前記支持フレームは、床に載置される下フレーム材を有し、
前記下フレーム材は、
前記スカートが載せられる横片部と、この横片部から下方に向けて突出した縦片部とを有し、
前記横片部の下方に空間が形成されるものであり、
前記空間は、前記下フレーム材の外部に対して開いた空間であり、
前記横片部及び前記縦片部は、前記空間に臨む面を有し、少なくとも前記面を含む表面が塗装されていることを特徴とする便器。
【請求項２】
前記縦片部の下端と前記床との間に配される緩衝材を更に備えることを特徴とする請求項１に記載の便器。
【発明の詳細な説明】
【技術分野】
【０００１】
本発明は、便器に関するものである。
【背景技術】
【０００２】
特許文献１には、ボウル部を備えた便器本体の外殻内に、金属製の支持フレームを配置して、便器本体を支持する便器が開示されている。
【０００３】
特許文献１の便器では、支持フレームは、床に設置される下フレーム材を備える。下フレーム材は、角状パイプであり、床に固定するためのねじ具用孔が多数穿設されている。
【先行技術文献】
【特許文献】
【０００４】
【特許文献１】特開２００９−２３５７４９号公報
【発明の概要】
【発明が解決しようとする課題】
【０００５】
上述した特許文献１の便器では、下フレーム材が角状パイプであるため、下フレーム材の内側の空間が、下フレーム材によって四方が囲まれて閉じられた空間となっている。そのため、特許文献１の便器では、下フレーム材の表面のうち、前記空間に臨む面である内表面には、ハケやローラーや吹付によって塗装を行うことが難しく、下フレーム材の内表面には、塗装がされていなかった。
【０００６】
したがって、特許文献１の便器をユニットバス等の水分や湿気の多い場所に設置した場合、下フレーム材の内表面は、水分が付着して錆びやすいといった問題があった。
【０００７】
そこで、上記事情を鑑みて、本発明は、ボウルを備えた便器本体を金属製の支持フレームで支持する便器において、支持フレームのうち床に載置される部位が錆びにくい便器を提案することを課題とする。
【課題を解決するための手段】
【０００８】
上記課題を解決するために本発明の便器は、ボウル及びスカートを有する便器本体と、前記便器本体を支持する金属製の支持フレームと、を備え、前記支持フレームは、床に載置される下フレーム材を有し、前記下フレーム材は、前記スカートが載せられる横片部と、この横片部から下方に向けて突出した縦片部とを有し、前記横片部の下方に空間が形成されるものであり、前記空間は、前記下フレーム材の外部に対して開いた空間であり、前記横片部及び前記縦片部は、前記空間に臨む面を有し、少なくとも前記面を含む表面が塗装されていることを特徴とする。
【０００９】
また、前記縦片部の下端と前記床との間に配される緩衝材を更に備えることが好ましい。
【発明の効果】
【００１０】
本発明の便器では、支持フレームのうち床に載置される部位である下フレーム材を、横片部と縦片部とを有し、横片部の下方に、空間が形成されるものとしている。そして、この空間は、下フレーム材の外部に対して開いた空間である。そして、この横片部及び縦片部を、空間に臨む面を有し、少なくとも前記面を含む表面が塗装されているものとしている。そのため、本発明の便器は、金属製の支持フレームのうち、水分の付着しやすい面を塗装面とすることができる。これにより、本発明の便器は、ボウルを備えた便器本体を金属製の支持フレームで支持する便器において、支持フレームのうち床に載置される部位が錆びにくい便器となっている。
【図面の簡単な説明】
【００１１】
【図１】（ａ）は本発明の第一実施形態の便器の要部を示す斜視図であり、（ｂ）は同上の便器の支持フレームを下側から視た斜視図であり、（ｃ）は同上の便器の底部位を示す断面図である。
【図２】（ａ）は同上の便器の支持フレームの底部位の変更例を示す斜視図であり、（ｂ）はこの変更例の便器の底部位を示す断面図である。
【図３】（ａ）〜（ｆ）は本発明の第二乃至第七実施形態の便器の要部を示す断面図である。
【発明を実施するための形態】
【００１２】
本発明を添付図面に示す実施形態に基づいて説明する。
【００１３】
本発明の第一実施形態の便器１００は、図１（ａ）に示すように、樹脂製の便器本体１０と、金属製の支持フレーム５とを備える。支持フレーム５は、便器本体１０の外殻の内側に配され、且つ床４に載置される。便器本体１０は、支持フレーム５の前部に取り付けられて、支持フレーム５によって支持される。なお、図示はしていないが、便器１００は、更に、トラップケース、便器付設装置、上部カバー、側部カバー、後部カバー、便座、及び便蓋を備える。トラップケース及び便器付設装置は、支持フレーム５の後部に配される。
【００１４】
このトラップケースは、その内側にモータにより後端が上下回動するトラップを備える。前記トラップケースは、底部または後部に排水口を備える。この排水口は、床４または壁に設けた排水管に接続される。この排水管は、下水管に連通している。
【００１５】
便器付設装置は、ボウル１に洗浄水を吐出する吐出ノズルや、上水道に接続されて吐出ノズルに給水を行う給水管や、吐出ノズルの吐水の制御を行う制御部や、局部洗浄用の温水洗浄装置、乾燥装置、及び脱臭装置等を備える。
【００１６】
前記上部カバーは、前記便器付設装置を覆うカバーである。前記側部カバーは、前記トラップケースの側方を覆うカバーである。前記側部カバーは、支持フレーム５の後部の左右部位にそれぞれ取り付けられる。前記後部カバーは、前記トラップケースの後方を覆うカバーである。前記後部カバーは、支持フレーム５の後端部位に取り付けられる。
【００１７】
支持フレーム５、前記トラップケース、及び前記便器付設装置は、便器本体１０、前記上部カバー、左右一対の前記側部カバー、前記後部カバーによって、便器１００の外側に対して覆い隠される。前記便座及び前記便蓋は、前記上部カバーに回動自在に装着され、前後方向に回動する。
【００１８】
便器本体１０は、図１（ａ）に示すように、リム３、ボウル１及びスカート２を有する。スカート２は、平断面略Ｃ字状であり、便器本体１０の外殻をなす。ボウル１は、スカート２の内側の上部に配置されている。そして、リム３は、スカート２の内側のボウル１上に配置されている。ボウル１は、底部に排出口（図示せず）を備える。排出口は、その後端部がトラップの前端部に連通するように接続される。リム３には、前記便座が載置される。リム３、ボウル１及びスカート２は溶着により一体化されて、便器本体１０を構成する。
【００１９】
支持フレーム５は、床４に載置される下フレーム材５０と、下フレーム材５０から上方に向けて突出する縦フレーム材５１とを備える。本実施形態では、下フレーム材５０は、平面視環状をなしている。
【００２０】
下フレーム材５０は、図１（ｂ）及び図１（ｃ）に示すように、スカート２が載置される横片部５２と、この横片部５２から下方に突出する縦片部５３とを有する。そして、下フレーム材５０は、横片部５２の下方に空間Ｓが形成されるものである。空間Ｓは、下フレーム材５０によって四方が囲まれて閉じられた空間ではなく、下フレーム材５０の外部に対して開いた空間となっている。
【００２１】
詳しくは、本実施形態では、横片部５２は、平面視環状をなしている。縦片部５３は、横片部５２の周方向の全長に亘って、横片部５２から下方に突出している。つまり、縦片部５３も、平面視略環状をなしている。
【００２２】
本実施形態では、下フレーム材５０のうち、スカート２が載せられる前部位では、縦片部５３は、横片部５２の内側の端部から下方に突出している。つまり、本実施形態では、下フレーム材５０の前部位は、周方向の断面が略Ｌ字状である。横片部５２は、空間Ｓを臨む面である下面が塗装されている。横片部５２は、空間Ｓを臨む面以外の面（上面、外側面（図１（ｃ）では左側面）及び内側面（図１（ｃ）では右側面））も塗装されている。つまり、横片部５２は、表面全体が塗装されている。そして、縦片部５３は、空間Ｓを臨む面である外側面（図１（ｃ）では左側面）が塗装されている。縦片部５３は、空間Ｓを臨む面以外の面（下面及び内側面（図１（ｃ）では右側面））も塗装されている。つまり、縦片部５３は、表面全体が塗装されている。横片部５２及び縦片部５３に塗装される塗料は、防錆塗料であることが好ましい。
【００２３】
なお、下フレーム材５０の後部の左右箇所には、前記側部カバーが載せられる。そして、下フレーム材５０の後端部には、後部カバーが載せられる。下フレーム材５０のうち、後部の左右部位では、縦片部５３は、横片部５２の内側の端部から下方に突出している。そして、下フレーム材５０のうち、後端部では、縦片部５３は、横片部５２の外側の端部（後端部）から下方に突出している。
【００２４】
図１（ｃ）に示すように、スカート２は、その下端部にスカート２の内側に向けて突出したフランジ２０を備える。スカート２は、フランジ２０よりも下方に突出した箇所が、下フレーム覆い部２１となっている。
【００２５】
横片部５２には、スカート２のフランジ２０が載せられる。このように横片部５２にフランジ２０を載せることで、スカート２は下フレーム材５０によって支持される。ここで、フランジ２０を横片部５２に載せた状態で、スカート２の下フレーム覆い部２１と床４との間には隙間Ａが形成されるように、縦片部５３は下方へ突出させている。つまり、横片部５２にフランジ２０を載せた状態で、縦片部５３の下端は、スカート２の下フレーム覆い部２１の下端よりも下方に位置する。
【００２６】
以上説明した本実施形態の便器１００では、支持フレーム５のうち床４に載置される部位である下フレーム材５０を、横片部５２と縦片部５３とを有し、横片部５２の下方に空間Ｓが形成されるものとしている。そして、空間Ｓは、下フレーム材５０の外部に対して開いた空間である。そして、この横片部５２及び縦片部５３を、空間Ｓに臨む面を有し、少なくとも前記面を含む表面が塗装されているものとしている。そのため、本実施形態の便器１００は、ボウルを備えた便器本体１０を金属製の支持フレーム５で支持する便器１００において、支持フレーム５のうち床４に載置される部位である下フレーム材５０が錆びにくい便器１００となっている。
【００２７】
加えて、横片部５２の下方の空間Ｓは、下フレーム材５０によって四方が囲まれて閉じられた空間ではなく、下フレーム材５０の外部に対して開いた空間となっている。そのため、支持フレーム５の製造時、横片部５２の空間Ｓを臨む面である下面と縦片部５３の空間Ｓを臨む面である外側面は、ハケやローラーや吹付によって塗装を行いやすい面となっている。
【００２８】
また、本実施形態の便器１００では、下フレーム材５０の前部位において、横片部５２の下方の空間Ｓがスカート２と床４との間の隙間Ａを介してスカート２の外側に連通している。そのため、本実施形態の便器１００では、下フレーム材５０の前部位において、横片部５２の下方の空間Ｓに浸入した水は、スカート２と床４との間の隙間Ｓ１を介してスカート２の外側に排水させることができる。
【００２９】
したがって、本実施形態の便器１００では、下フレーム材５０の前部位において、空間Ｓに水が溜まりにくくて、下フレーム材５０の内表面が錆びにくいものとなっている。
【００３０】
また、本実施形態の便器１００は、図１（ｂ）及び図１（ｃ）に示すように、縦片部５３の下端と床４との間に配される緩衝材６を更に備える。本実施形態の便器１００では、緩衝材６は、縦片部５３の周方向の全長に亘って取り付けられる。緩衝材６は、ゴム等の弾性体で形成される。本実施形態の便器１００では、緩衝材６は、上方に開口する断面略Ｕ字状である。緩衝材６は、開口に縦片部５３の下端を圧入することで固定される。
【００３１】
本実施形態の便器１００は、緩衝材６を縦片部５３の下端に取り付けることで、床４に縦片部５３が直接接触しないようにすることができる。これにより、本実施形態の便器１００は、下フレーム材５０が床４を傷つけたり、割ったりすることを防止できる。
【００３２】
また、本実施形態の便器１００では、縦片部５３の下端と床４との間に緩衝材６を配することで、縦片部５３を床４から上方に離して設けることができる。これにより、本実施形態の便器１００では、床４に湯水が流れた場合に、縦片部５３がこの湯水に接触しにくくて、錆びにくいものとなっている。なお、緩衝材６は、縦片部５３の周方向の一部に取り付けるようにしてもよい。
【００３３】
このように床４に縦片部５３が直接接触しないようにする構造としては、他に、図２（ａ）及び図２（ｂ）に示す本実施形態の変更例の便器１００がある。
【００３４】
この変更例の便器１００は、緩衝材６を備えず、横片部５２と床４との間に配される支持部材７を更に備える。なお、変更例の構成のうち、既述した第一実施形態と同様の構成については、図中に同一符号を付して詳しい説明を省略する。
【００３５】
支持部材７は、防錆性の材質で形成され、例えば、樹脂片である。支持部材７は、横片部５２の周方向の全長に亘って、横片部５２の下面に取り付けられる。支持部材７は、横片部５２に上方からねじ８をねじ込むことで、横片部５２の下面に取り付けられる。支持部材７は、縦片部５３の下端と床４との間に隙間が形成されるように、横片部５２を支持する。
【００３６】
このように支持部材７を設けることによっても、床４に縦片部５３が直接接触しないようにすることができる。これにより、変更例の便器１００は、下フレーム材５０が床４を傷つけたり、割ったりすることを防止できる。また、変更例の便器１００では、縦片部５３を床４から上方に離して設けることができ、これにより、床４に湯水が流れた場合に、縦片部５３がこの湯水に接触しにくくて、錆びにくいものとなっている。なお、支持部材７は、横片部５２の周方向の一部の下面に取り付けるようにしてもよい。
【００３７】
上述した本発明の第一実施形態の便器１００では、下フレーム材５０を周方向の断面が略Ｌ字状となるように形成した例について説明したが、下フレーム材５０を周方向の断面は上述した形状に限定されない。図３には、下フレーム材５０の他の実施形態が示されている。なお、各実施形態の構成のうち、既述した第一実施形態と同様の構成については、図中に同一符号を付している。
【００３８】
図３（ａ）に示す本発明の第二実施形態の便器１００では、下フレーム材５０は、横片部５２の左右方向の中央部から縦片部５３が下方に向けて突出している。つまり、下フレーム材５０は、断面略Ｔ字状に形成されている。第二実施形態の便器１００では、空間Ｓは、縦片部５３の左右両側に形成される。横片部５２及び縦片部５３は、左右の空間Ｓを臨む面がそれぞれ塗装されている。横片部５２及び縦片部５３は、左右の空間Ｓを臨む面以外の面も塗装されている。つまり、下フレーム材５０は、表面全体が塗装されている。空間Ｓは、下フレーム材５０によって四方が囲まれて閉じられた空間ではなく、下フレーム材５０の外部に対して開いた空間となっている。縦片部５３の下端には緩衝材６が取り付けられている。
【００３９】
また、図３（ｂ）に示す本発明の第三実施形態の便器１００では、下フレーム材５０は、底片部５４を更に備える。下フレーム材５０は、横片部５２の左右方向の中央部から縦片部５３が下方に向けて突出し、この縦片部５３の下端に底片部５４の左右方向の中央部が一体化されている。つまり、下フレーム材５０は、横向きに開口する断面略Ｈ字状に形成されている。第三実施形態の便器１００では、空間Ｓは、縦片部５３の左右両側に形成される。横片部５２、縦片部５３及び底片部５４は、左右の空間Ｓを臨む面がそれぞれ塗装されている。横片部５２、縦片部５３及び底片部５４は、左右の空間Ｓを臨む面以外の面も塗装されている。つまり、下フレーム材５０は、表面全体が塗装されている。空間Ｓは、下フレーム材５０によって四方が囲まれて閉じられた空間ではなく、下フレーム材５０の外部に対して開いた空間となっている。なお、図示していないが、底片部５４と床４との間に緩衝材６を配してもよい。
【００４０】
また、図３（ｃ）に示す本発明の第四実施形態の便器１００では、下フレーム材５０は、底片部５４を更に備える。下フレーム材５０は、横片部５２の内側端部から縦片部５３が下方に向けて突出し、この縦片部５３の下端に底片部５４の内側端部が一体化されている。つまり、下フレーム材５０は、開口方向が外向きの略Ｕ字状の断面に形成されている。横片部５２、縦片部５３及び底片部５４は、空間Ｓを臨む面がそれぞれ塗装されている。横片部５２、縦片部５３及び底片部５４は、空間Ｓを臨む面以外の面も塗装されている。つまり、下フレーム材５０は、表面全体が塗装されている。空間Ｓは、下フレーム材５０によって四方が囲まれて閉じられた空間ではなく、下フレーム材５０の外部に対して開いた空間となっている。なお、図示していないが、底片部５４と床４との間に緩衝材６を配してもよい。
【００４１】
また、図３（ｄ）に示す本発明の第五実施形態の便器１００では、下フレーム材５０は、横片部５２の内側端部と外側端部からそれぞれ縦片部５３が下方に向けて突出している。下フレーム材５０は、開口方向が下向きの略Ｕ字状の断面に形成されている。横片部５２及び左右の縦片部５３は、空間Ｓを臨む面がそれぞれ塗装されている。横片部５２及び左右の縦片部５３は、空間Ｓを臨む面以外の面も塗装されている。つまり、下フレーム材５０は、表面全体が塗装されている。空間Ｓは、支持フレーム５の製造時には、下フレーム材５０によって四方が囲まれて閉じられた空間ではなく、下フレーム材５０の外部に対して開いた空間となっている。各縦片部５３の下端には緩衝材６が取り付けられている。
【００４２】
また、図３（ｅ）に示す本発明の第六実施形態の便器１００では、底片部５４を更に備える。下フレーム材５０は、横片部５２の外側端部から縦片部５３が下方に向けて突出し、この縦片部５３の下端に底片部５４の外側端部が一体化されている。つまり、下フレーム材５０は、開口方向が内向きの略Ｕ字状の断面に形成されている。空間Ｓは、スカート２の内側に開口している。横片部５２、縦片部５３及び底片部５４は、空間Ｓを臨む面がそれぞれ塗装されている。横片部５２、縦片部５３及び底片部５４は、空間Ｓを臨む面以外の面も塗装されている。つまり、下フレーム材５０は、表面全体が塗装されている。空間Ｓは、下フレーム材５０によって四方が囲まれて閉じられた空間ではなく、下フレーム材５０の外部に対して開いた空間となっている。なお、図示していないが、底片部５４と床４との間に緩衝材６を配してもよい。
【００４３】
また、図３（ｆ）に示す本発明の第七実施形態の便器１００では、下フレーム材５０は、横片部５２の外側端部から縦片部５３が下方に突出している。つまり、下フレーム材５０は、略Ｌ字状の断面に形成されている。空間Ｓは、スカート２の内側に開口している。横片部５２及び縦片部５３は、空間Ｓを臨む面がそれぞれ塗装されている。横片部５２及び縦片部５３は、空間Ｓを臨む面以外の面も塗装されている。つまり、下フレーム材５０は、表面全体が塗装されている。空間Ｓは、下フレーム材５０によって四方が囲まれて閉じられた空間ではなく、下フレーム材５０の外部に対して開いた空間となっている。縦片部５３の下端には緩衝材６が取り付けられている。
【００４４】
以上まとめると、本発明の第一乃至第七実施形態の便器１００では、下フレーム材５０を、少なくとも横片部５２と縦片部５３とを有し、横片部５２の下方に、下フレーム材５０の外部に対して開いた空間Ｓが形成されるものとしている。そして、この横片部５２及び縦片部５３を、空間Ｓに臨む面を有し、少なくとも前記面を含む表面が塗装されているものとしている。そのため、第一乃至第七実施形態の便器１００は、金属製の支持フレーム５のうち、水分の付着しやすい面を塗装面とすることができる。これにより、第一乃至第七実施形態の便器１００は、ボウルを備えた便器本体１０を金属製の支持フレーム５で支持する便器１００において、支持フレーム５のうち床４に載置される部位である下フレーム材５０が錆びにくい便器１００となっている。
【００４５】
加えて、第一乃至第七実施形態の便器１００では、横片部５２の下方の空間Ｓは、下フレーム材５０によって四方が囲まれて閉じられた空間ではなく、下フレーム材５０の外部に対して開いた空間となっている。そのため、支持フレーム５の製造時、下フレーム材５０を構成する部材（横片部５２、縦片部５３、底片部５４）の空間Ｓを臨む面は、ハケやローラーや吹付によって塗装が行いやすい面となっている。
【００４６】
本発明の第一乃至第七実施形態の便器１００は、下フレーム材５０の少なくとも空間Ｓを臨む面を含む表面を塗装することで、ユニットバス等の水分や湿気の多い場所に設置した場合でも、金属製の支持フレーム５の底部位である下フレーム５０が錆びにくいものとなっている。
【００４７】
なお、上述した本発明の第一乃至第七実施形態の便器１００では、下フレーム材５０の表面全体が塗装されている例について説明したが、下フレーム材５０は全表面のうちの一部が塗装されていなくてもよい。
【００４８】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４９】
１      ボウル
２      スカート
４      床
５      支持フレーム
１０    便器本体
５０    下フレーム材
５２    横片部
５３    縦片部
６      緩衝材
１００  便器
Ｓ      空間
【図１】
2014177770.tif 000003
【図２】
2014177770.tif 000004
【図３】
2014177770.tif 000005